(57)【特許請求の範囲】
【請求項１】
ベース部材に一端部を軸着して開閉可能とした、他端自由端部側の開口部からメモリカードを挿脱するカードホルダ；
このカードホルダの自由端部の壁面一部を切り欠いて形成した、該カードホルダに挿入したカードの一部を露出させる指掛切欠；
上記カードホルダに、この指掛切欠を開閉するべく移動可能に支持したシャッタ部材；及び
上記カードホルダの開閉動作に連動させて、該カードホルダの開位置では上記シャッタ部材を上記指掛切欠を開く開位置に移動させ、閉位置では同指掛切欠を閉じる閉位置に移動させるシャッタ部材駆動機構；
を有することを特徴とする開閉式メモリカードコネクタ。
【請求項２】
請求項１記載の開閉式メモリカードコネクタにおいて、上記シャッタ部材駆動機構は、上記シャッタ部材に一端部が枢着され、他端部が上記カードホルダの枢着軸とは位置を異ならせて上記ベース部材に枢着されたリンク部材によって構成されている開閉式メモリカードコネクタ。
【請求項３】
請求項１または２記載の開閉式メモリカードコネクタにおいて、上記シャッタ部材には、導電性材料からなる接地部材が備えられており、この接地部材が接地されている開閉式メモリカードコネクタ。
【請求項４】
請求項３記載の開閉式メモリカードコネクタにおいて、接地部材は、金属材料からなる上記リンク部材に導通しており、ベース部材には、カードホルダの開閉位置に拘わらず、上記リンク部材に導通する接地端子が備えられている開閉式メモリカードコネクタ。
【発明の詳細な説明】
【０００１】
【技術分野】
本発明は、開閉式メモリカードコネクタに関する。
【０００２】
【従来技術およびその問題点】
メモリカードコネクタの一態様として、メモリカード（以下カード）を挿入するカードホルダを軸を中心に開閉可能とした開閉式が知られている。この開閉式メモリカードコネクタでは、カードの挿抜を容易にするため、カードホルダの自由端部側の開口部の壁面一部に指掛切欠を形成することが行われている。このカードホルダの指掛切欠は、カードホルダ内のカードの把持を容易にはするが、反面、カードホルダ内部に塵埃や異物が入り込みやすいという問題がある。また、カードホルダに挿入したカードの一部が露出するため、デザイン上の制約も生じる。
【０００３】
また、開閉式のメモリカードは、カードホルダが軸を中心に回動するため、摩擦によって合成樹脂（絶縁材料）製のカードホルダが帯電しやすい。帯電しているカードホルダに、不用意にカードが接触すると、カードが静電気によって容易に静電破壊されるおそれがある。また、使用（機能）中のカードに接触可能であるので、同様に静電気の問題が生じうる。
【０００４】
【発明の目的】
本発明は、カードを挿抜するカードホルダに指掛切欠を設ける開閉式メモリカードコネクタにおいて、指掛切欠からの塵埃や異物の侵入（進入）の可能性を減らすことができる開閉式メモリカードコネクタを得ることを目的とする。
また本発明は、カードホルダが帯電することによるカードの静電破壊を防止できる開閉式メモリカードコネクタを得ることを目的とする。
【０００５】
【発明の概要】
本発明は、ベース部材に一端部を軸着して開閉可能としたカードホルダの自由端部の壁面一部を切り欠いて、該カードホルダに挿入したカードの一部を露出させる指掛切欠を形成した開閉式メモリカードコネクタにおいて、カードホルダに、この指掛切欠を開閉するべく移動可能にしてシャッタ部材を支持し、さらに、カードホルダの開閉動作に連動させて、該カードホルダの開位置ではこのシャッタ部材を指掛切欠を開く開位置に移動させ、閉位置では同指掛切欠を閉じる閉位置に移動させるシャッタ部材駆動機構を設けたことを特徴としている。
この構成によれば、カードホルダの開位置では指掛切欠から該ホルダ内のカードにアクセスすることができ、閉位置では指掛切欠を閉じて塵埃や異物の侵入を防止することができる。
【０００６】
シャッタ部材駆動機構は、例えば、シャッタ部材に一端部が枢着され、他端部がカードホルダの枢着軸とは位置を異ならせてベース部材に枢着されたリンク部材によって構成することができる。
【０００７】
メモリカードが帯電したカードホルダに接触して静電破壊されるのを防止するため、シャッタ部材には、導電性材料からなる接地部材を設け、この接地部材を接地させることが好ましい。シャッタ部材の接地構造は、例えば、同接地部材を金属材料からなるリンク部材に導通させ、ベース部材に、カードホルダの開閉位置に拘わらず、このリンク部材に導通する接地端子を設けることで構成できる。
【０００８】
【発明の実施形態】
図１ないし図６に示すように、合成樹脂（絶縁材料）製のベース部材１０は、基板Ｂ上に固定される。このベース部材１０は、基板Ｂに沿う略矩形の底板１１、この底板１１の両側部から直立する左右支持壁１２、底壁１１の前後端部から直立し左右支持壁１２に直交する前方支持壁１３と後方支持壁１４を有する。前方支持壁１３の一部からはロックノブ支持部１５が突出し、後方支持壁１４には中心部に切除部１４ａが存在している。このベース部材１０の左右の左右支持壁１２にはそれぞれ、後方支持壁１４側に位置させて、同一軸線上に位置するカードホルダ用の回動支点穴１６と、リンク部材用の回動支点突起１７が形成されている。
【０００９】
同じく合成樹脂（絶縁材料）製のカードホルダ２０は、その一端部にカードＣを挿入する開口部２１を有する。開口部２１は、左右の断面略コ字状のガイドレール部２２と、このガイドレール部２２の上面を接続する上面壁２３とを有し、上面壁２３には開口部２１の入口側に指掛切欠２４が形成されている。このカードホルダ２０の他端部（指掛切欠２４の反対側の端部）には、ベース部材１０の回動支点穴１６に対応する回動支点穴２５が形成されており、この回動支点穴２５と回動支点穴１６に、支点ピン２６が挿入され、この支点ピン２６にカードホルダ２０を開放方向に回動付勢するトーションばね２７のコイル部が挿入されている。カードホルダ２０は、支点ピン２６を中心とする回動運動により、ベース部材１０の底壁１１（基板Ｂ）に沿い、左右支持壁１２、前方支持壁１３及び後方支持壁１４内に収まる閉位置（図１、図４）と、開口部２１が上方に位置する開位置（図５）との間を移動する。
【００１０】
カードホルダ２０には、開口部２１のカード挿入方向の奥部に、カードＣの端子群と電気的に接続されるコンタクト群接続部（コンタクト）２８が備えられている。コンタクト群接続部２８は、図示しない電気接続手段（例えばＦＰＣ）によって基板Ｂ上の回路に接続されている。カードＣは、カードホルダ２０の正規位置に挿入されたとき、その端子群が基板Ｂの回路と接続されるものであればよく、カードＣと基板Ｂとの具体的な電気的接続構造は問わない。コンタクト群接続部２８は、カードホルダ２０に予め一体に設けても、別部材として形成してカードホルダ２０に取り付けてもよい。
【００１１】
カードホルダ２０の開口部２１には、シャッタ部材３０がカードＣの挿入方向に移動可能に支持されている。シャッタ部材３０は、カードホルダ２０の上面壁２３の内面に沿い指掛切欠２４を開閉する開閉壁３１と、ガイドレール部２２の縦壁と横壁の内面に沿う縦壁３２と横壁３３とを有する。カードホルダ２０内に挿入されるカードＣは、まず、このシャッタ部材３０の開閉壁３１、縦壁３２及び横壁３３内に挿入される。
【００１２】
シャッタ部材３０の縦壁３２のガイドレール部２２との対向部には、凸部３２ａが形成され、この凸部３２ａの外面にはそれぞれ形成した軸突起３２ｂに、金属製（導電性）のリンク部材３４の一端部の軸穴３４ａが回動可能に嵌合している。リンク部材３４の他端部の軸穴３４ｂはベース部材１０の回動支点突起１７に回動可能に嵌まっている。リンク部材３４の長さ、回動支点穴１６と回動支点突起１７（支点ピン２６）の距離、及びシャッタ部材３０の軸突起３２ｂの位置は、カードホルダ２０をベース部材１０（基板Ｂ）上に閉じたときには、シャッタ部材３０がカードホルダ２０の指掛切欠２４を閉じ（図１、図２、図４、図９）、開いたときには指掛切欠２４を開く（図８、図５）ように設定されている。すなわち、支点ピン２６からカードホルダ２０の先端自由端部迄の長さは、リンク部材３４の有効長（軸穴３４ａと３４ｂの距離）より長く、この長さの差により、シャッタ部材３０がカードホルダ２０の開閉動作によって該カードホルダ２０に対して以上のように移動する。
【００１３】
シャッタ部材３０の開閉壁３１の内面には、金属製の接地プレート（接地部材）３５が挿入されている。この接地プレート３５の両端部は、シャッタ部材３０に形成した保持溝３２ｃ（図７）に嵌め込み固定されている。この接地プレート３５には、縦壁３２の外面に沿う接触片３５ａが形成されていて、この接触片３５ａがリンク部材３４に接触して導通している。基板Ｂ上には、図４、図５、図８に示すように、リンク部材３４の回動支点突起１７を中心とする回動位置に拘わらず、常にリンク部材３４に接触するアース接片（接地端子）３６が形成されている。
【００１４】
ベース部材１０のロックノブ支持部１５には、トーションばね２７の力に抗してカードホルダ２０を閉位置に保持するロックノブ１８が往復移動可能に支持されている。このロックノブ１８には、閉位置にあるカードホルダ２０のガイドレール部２２の係止面２２ａの上に係脱するロック爪１８ａが一体に形成されている。このロックノブ１８は、圧縮コイルばね１９によって、ロック爪１８ａが係止面２２ａの上に係合する方向に移動付勢されている。
【００１５】
上記構成の本開閉式メモリカードコネクタは従って、トーションばね２７の力に抗してカードホルダ２０を支点ピン２６を中心に回動させて開閉すると、リンク部材３４の作用により、カードホルダ２０の閉位置ではシャッタ部材３０が指掛切欠２４を閉じ（図１、図９）、開位置ではシャッタ部材３０がカードホルダ２０内に後退して指掛切欠２４を開く（図８）。よって、カードホルダ開位置においては、シャッタ部材３０が存在しないのと同様、指掛切欠２４から指を入れてカードＣをカードホルダ２０（シャッタ部材３０）内に挿脱することができる。一方、カードホルダ閉位置では、指掛切欠２４がシャッタ部材３０によって閉じられるので、指掛切欠２４からカードホルダ２０内に塵埃や異物が侵入する可能性がない。
【００１６】
また、ロックノブ１８を圧縮コイルばね１９の力に抗してスライドさせた状態において、カードホルダ２０を閉じ、ロックノブ１８への操作力を開放すると、ロック爪１８ａが係止面２２ａの上に位置してカードホルダ２０が閉位置にロックされる。勿論、ロック爪１８ａの先端に斜面を設けることにより、カードホルダ２０を閉じる力でロックノブ１８を一旦アンロック方向に移動させて自動的にロックすることも可能である。そして、カードホルダ２０が閉じている状態において、ロックノブ１８を圧縮コイルばね１９の力に抗して移動させれば、ロック爪１８ａが係止面２２ａを開放するので、カードホルダ２０はトーションばね２７の力により開位置に移動する。カードホルダ２０の開位置は、機械的に規制することができる。
【００１７】
さらに、シャッタ部材３０の内面には接地プレート３５が位置していて、この接地プレート３５は、接触片３５ａ、リンク部材３４及びアース接片３６を介して常時接地されているので、シャッタ部材３０あるいはカードホルダ２０が帯電するおそれがない。よって、カードＣが不用意に帯電しているカードホルダ２０に接触して静電破壊する可能性がない。
【００１８】
上記実施形態では、ベース部材１０を基板Ｂに固定する態様を説明したが、ベース部材１０は筐体に嵌め込み固定する態様も可能であり、ベース部材１０の支持態様は問わない。
【００１９】
【発明の効果】
以上のように本発明によれば、カードを挿抜するカードホルダに指掛切欠を設ける開閉式メモリカードコネクタにおいて、指掛切欠からの塵埃や異物の侵入の可能性を減らすことができる。また、シャッタ部材に接地部材を設けることで、カードホルダが帯電することによるカードの静電破壊を防止できる。
【図面の簡単な説明】
【図１】本発明による開閉式メモリカードコネクタの一実施形態を示す平面図である。
【図２】同正面図である。
【図３】図１のIII‐III線に沿う断面図である。
【図４】図１のIV‐IV線に沿う断面図である。
【図５】図４の状態からカードホルダを開いた状態の断面図である。
【図６】図１の分解斜視図である。
【図７】図６の一部の拡大分解斜視図である。
【図８】本発明による開閉式メモリカードコネクタのカードホルダを開いた状態の斜視図である。
【図９】同閉じた状態の斜視図である。
【符号の説明】
Ｂ  基板
Ｃ  メモリカード
１０  ベース部材
１６  回動支点穴
１７  回動支点突起
１８  ロックノブ
２０  カードホルダ
２１  開口部
２２  ガイドレール部
２３  上面壁
２４  指掛切欠
２５  回動支点穴
２６  支点ピン
２７  トーションばね
２８  コンタクト群接続部
３０  シャッタ部材
３１  開閉壁
３２  縦壁
３２ｂ  軸突起
３４  リンク部材
３４ａ  ３４ｂ  軸穴
３５  接地プレート（接地部材）
３５ａ  接触片
３６  アース接片（接地端子）
【図１】
0004017834.tif 000002
【図２】
0004017834.tif 000003
【図３】
0004017834.tif 000004
【図４】
0004017834.tif 000005
【図５】
0004017834.tif 000006
【図６】
0004017834.tif 000007
【図７】
0004017834.tif 000008
【図８】
0004017834.tif 000009
【図９】
0004017834.tif 000010